(57)【要約】【課題】  捕獲しようとするねずみの足裏に水や油等の粘着を妨げる物質が付着していても、確実にねずみを捕獲できる粘着式ねずみ取りを提供する。【解決手段】  上面に粘着剤５を塗布してなる台紙１の左右両端辺に続いて、この台紙の上面側に折曲できる左右のフラップ片２、３を連設し、かつこれらフラップ片の上面にも粘着剤を塗布し、台紙上面に進入したねずみの後部に対してねずみ進入側のフラップ片の粘着剤が付着して台紙側に引き寄せられ、同フラップ片がねずみを後部上方から覆うように折れ曲がってねずみを捕らえるように構成した。【選択図】  図５
2007222016.tif 000002
【特許請求の範囲】
【請求項１】
上面に粘着剤を塗布してなる台紙の左右両端辺に続いて、この台紙の上面側に折曲できる左右のフラップ片を連設し、かつこれらフラップ片の上面にも粘着剤を塗布し、台紙上面に進入したねずみの後部に対してねずみ進入側のフラップ片の粘着剤が付着して台紙側に引き寄せられ、同フラップ片がねずみを後部上方から覆うように折れ曲がってねずみを捕らえるように構成してなる粘着式ねずみ取り。
【請求項２】
前記各フラップ片の左右方向の幅を、前記台紙の左右方向の幅の２分の１以下に構成してなる請求項１に記載の粘着式ねずみ取り。
【請求項３】
前記台紙およびフラップ片の前後辺部上に枠片を設け、フラップ片をねずみの進入口としてなる請求項１または２に記載の粘着式ねずみ取り。
【請求項４】
前記台紙と左右のフラップ片との間に折曲用まち部をそれぞれ設け、このまち部の幅を前記枠片の厚さの２倍と同じか若干大なるものとしてなる請求項３に記載の粘着式ねずみ取り。
【発明の詳細な説明】
【技術分野】
【０００１】
本発明は粘着式のねずみ取りに関する。
【背景技術】
【０００２】
ねずみ取りには、平坦な台紙上面にねずみを捕捉するための粘着剤が塗布された粘着式のものがあり（例えば、特許文献１参照）、ねずみの出没口または通路にセットし、その台紙上面に進入してきたねずみを、台紙上面に塗布された粘着剤によって捕らえる構成となっている。
【０００３】
【特許文献１】実公平３−２３１０３号公報（第１〜２頁、第１〜５図）
【発明の開示】
【発明が解決しようとする課題】
【０００４】
台紙上面に進入してきたねずみは、粘着剤によって足の動きを妨げられ、もがくにつれて粘着剤の付着部分が広がって捕獲されるのであるが、ねずみは排水溝等の水や油の付着し易い場所を通ることが多く、ねずみの足裏に付いた水や油が粘着剤との接着力を著しく低下させてしまう。
【０００５】
このような場合、ねずみの足裏が粘着剤に接着されながらも、その上でもがくねずみの動きを抑止することができず、ねずみは台紙上面を通過、すなわち、逃走してしまう問題があり、またねずみが後足だけを粘着に捕らえられた状態で逃走し、ねずみ取りの粘着剤を周囲の床や壁に付着させて汚すというようなケースもある。
【０００６】
本発明は、ねずみの足裏に水や油等が付着している場合でも、確実にねずみを捕獲できる粘着式ねずみ取りを提供できるようにした。
【課題を解決するための手段】
【０００７】
本発明に係る粘着式ねずみ取りは、上面に粘着剤を塗布してなる台紙の左右両端辺に続いて、この台紙の上面側に折曲できる左右のフラップ片を連設し、かつこれらフラップ片の上面にも粘着剤を塗布し、台紙上面に進入したねずみの後部に対してねずみ進入側のフラップ片の粘着剤が付着して台紙側に引き寄せられ、同フラップ片がねずみを後部上方から覆うように折れ曲がってねずみを捕らえるように構成したものとしてある。
【０００８】
また、前記各フラップ片の左右方向の幅を、前記台紙の左右方向の幅の２分の１以下に構成したものとしてある。
【０００９】
さらに前記台紙およびフラップ片の前後辺部上に枠片を設け、フラップ片をねずみの進入口とした構成のものとしてある。
【００１０】
また前記台紙と左右のフラップ片との間に折曲用まち部をそれぞれ設け、このまち部の幅を前記枠片の厚さの２倍と同じか若干大なるものとした構成のものとしてある。
【発明の効果】
【００１１】
本発明の粘着式ねずみ取りによれば、台紙上に進入したねずみが粘着剤層から逃走しようとその上でもがくと、台紙の両側部におけるフラップ片の粘着剤がねずみの後部に付着し、このためフラップ片がねずみの後部に引き寄せられてその背や頭部に後方から覆い被さる。
【００１２】
したがって、台紙上に進入した直後のねずみの足に粘着剤が充分に付着しなくても、フラップ片がねずみを覆うようにして確実に捕獲することができ、しかもねずみの足裏以外の部分は水や油がさほど付着せず、粘着力も大であるので、捕獲力の格段の向上を期すことができる。
【００１３】
また、ねずみの進入側と反対側のフラップ片もねずみがもがくことによってねずみを前方から覆い、さらに確実にねずみを捕獲することができる。
【００１４】
さらに、ねずみを覆いくるむように捕らえるので、ねずみが台紙を引きずって暴れ、周囲の床や壁を汚すようなおそれをほぼ確実に防止することができる。
【発明を実施するための最良の形態】
【００１５】
以下、本発明の粘着式ねずみ取りを添付図面に基づいて説明する。
本発明の粘着式ねずみ取りは、図１に示すように、ボール紙等の紙材や薄板材からなる台紙１の両側辺に続いて左右のフラップ片２、３が設けられており、そのフラップ片２の先端２ｂおよびフラップ片３の先端３ｂは平坦で、フラップ片を形成する部材、例えば、紙材の厚みとなっている。
【００１６】
したがって、本ねずみ取りを床面に配置した時、床面とフラップ片上面との段差は紙材の厚さ分だけであり、その段差は殆ど無視でき、段差等の障害物に敏感なねずみに警戒されることなくフラップ片上面に進入させることができる。
【００１７】
台紙１と各フラップ片２、３との間には２筋の折り目によってまち部４が形成されており、これらのまち部４を境に、図２および図３に示す矢印のように台紙１の上面に折れ曲がるように動くようになっている。
【００１８】
上記まち部４は、左右方向の幅を少なくとも台紙１の厚さの２倍以上としてあり、フラップ片がねずみの体に覆い被さるよう容易に台紙上面側に折り畳まれるように形成した２筋の折目によって構成されている。
【００１９】
そして、台紙１とフラップ片２およびフラップ片３の上面に、ねずみを接着捕獲するための粘着剤５が塗布されており、この粘着剤はその成分を粘着剤の塗布形態によって調整すればよく、例えば粘着剤層の塗布形態を図６に示されるような山５ａと谷５ｂが連続する波型状にする場合は、主剤のポリブテンに流動抑止剤、例えば、超微粒子状無水シリカを数パーセント混入する。
なお、粘着剤５層を波型状に構成すると、波の山５ａの部分がねずみの足およびその他の部分に確実に引っ掛かって体により強力に粘着し、捕獲力の向上を期せる。
【００２０】
また、粘着剤５の塗布面積は、製品の梱包形態やねずみの誘導性によって任意に選定すればよく、図１に示したものはフラップ片２の先端２ｂおよびフラップ片３の先端３ｂにその先端部から内方に適当な幅で粘着剤５を塗布していない部分を有するねずみ取りの一例であり、ねずみがフラップ片に乗った際、足裏に粘着剤５による違和感を与えず、ねずみの警戒心をできるだけ惹起しないように配慮してある。
【００２１】
また本実施例のねずみ取りでは、台紙１とフラップ片２およびフラップ片３の各前後の辺部に、枠片１ａ、枠片２ａ、枠片３ａを設けてあり、ねずみ取り使用時の台紙１とフラップ片２およびフラップ片３の歪みの発生が防止され、またねずみ取りの使用前や使用後にフラップ片を台紙上に折り畳む際の台紙とフラップ間のスペーサとしても機能できるように構成されている。
【００２２】
本発明の粘着式ねずみ取りは、図４に示すように、左右のフラップ片２、３を、粘着剤５が塗布された面を上面にして拡げた状態で排水口の近傍や壁際などのねずみが好んで通路とする場所に配置する。
【００２３】
ねずみ７がフラップ片２から進入する場合、ねずみ７はフラップ片２の先端２ａからフラップ片２内に進入するが、この際、フラップ片２の先端２ａと床６との段差が殆ど無視できる高さであるため、ねずみ７は殆ど警戒することなくフラップ片２上に進入してくる。
【００２４】
そして、進入したねずみ７の足裏に水や油が付着している場合、ねずみ７はフラップ片２に塗布されている粘着剤５に接着されることなく移動し、次の台紙１面上に塗布されている粘着剤５上に移動してくる。
【００２５】
しかしながら、徐々にねずみ７の足裏が粘着剤５と接着し始めるため、ねずみ７は粘着剤５上から逃走しようとその上でもがき始める。
【００２６】
かくすると、図５の（ａ）図で示すように、例えば、もがいているうちにねずみ７の尾や後部の毛などの体の部分がフラップ片２に塗布されている粘着剤５に接着され、それによってねずみ７は大きくもがき、図５の（ｂ）図で示すように、今度はねずみ７の鼻やひげ等がフラップ片３に塗布されている粘着剤５に接着されてさらにねずみ７はもがき、図５の（ｃ）図で示すように、フラップ片２がねずみ７の背に、また、フラップ片３がねずみ７の頭部に覆い被さり、ねずみ７の動きを完全に抑止する。
【００２７】
上述した実施例のものにおいては、フラップ片２、３を台紙１の左右に１つずつ設けてあるが、各フラップ片にさらに前後方向の折り目を付して複数に分割し、台紙上のねずみにより絡みやすい構造とする場合もある。
【図面の簡単な説明】
【００２８】
【図１】本発明に係る粘着式ねずみ取りの実施例を示す平面図。
【図２】本発明に係る粘着式ねずみ取りの正面図。
【図３】フラップ片の動作を示す粘着式ねずみ取りの側面図。
【図４】粘着式ねずみ取りの設置状態の一例を示す斜視図。
【図５】ねずみの捕獲時における作用を示す正面図。
【図６】本発明に係るねずみ取りの側面図。
【符号の説明】
【００２９】
１  台紙
１ａ  枠片
２  フラップ片
２ａ  枠片
２ｂ  先端
３  フラップ片
３ａ  枠片
３ｂ  先端
４  まち部
５  粘着剤
６  床
６ａ  壁
７  ねずみ
【図１】
2007222016.tif 000003
【図２】
2007222016.tif 000004
【図３】
2007222016.tif 000005
【図４】
2007222016.tif 000006
【図５】
2007222016.tif 000007
【図６】
2007222016.tif 000008